(57)【要約】      （修正有）【課題】鍵やイヤホンや菜箸等の小物を容易に脱着でき、設置希望の場所に容易に設置することを可能にする保持具付き挟持具を提供する。【解決手段】鍵やイヤホンや菜箸等の小物を変形自在な棒状で弾性の材質の保持具１で容易に脱着でき、保持具は一方、若しくは双方の摘み部２Ｌ，２Ｒの外側周囲に取り付け、摘み部の外側周囲に保持具を取り付けたことにより、摘み部の可動域を妨げることがないため、摘み込み操作には支障は生じず、挟持具を容易に設置希望な場所へ設置できるように挟持部は開閉可能とした。【選択図】図１
2020058753.tif 000002
【特許請求の範囲】
【請求項１】
開閉可能な挟持具に小物を置いたり掛けたりすることが出来る変形自在な棒状で弾性の材質の保持具を設けたことを特徴とする保持具付き挟持具。
【請求項２】
請求項１の変形自在な棒状で弾性の保持具は摘み部外側周囲に設ける。保持具を摘み部の外側周囲に設けることにより摘み部は保持具内を自在に可動し、挟持具を開閉する際に摘む摘み部の可動域を妨げないことを特徴とする保持具付き挟持具。
【発明の詳細な説明】
【技術分野】
【０００１】  本発明は、開閉可能な挟持具の反対側に変形自在な棒状で弾性の保持具を取り付け、鍵・イヤホン・箸などの小物を置いたり引っ掛けたりすることができる保持具付き挟持具に関するものである。
【背景技術】
【０００２】  従来、小物を置きたいときはピンやフック等の保持具を固定したり、小物入れを置いたりと設置場所が限られていた。また、スポンジで挟持が出来る開閉可能なクリップ式の物はスポンジが大きく邪魔であった。
【先行技術文献】
【特許文献】
【０００３】
【特許文献１】特開２０１２−７５６７６号公報
【０００４】
【発明の概要】
【発明が解決しようとする課題】
【０００５】  そこで、この発明はイヤホン・鍵・箸などの小物を容易に脱着でき、且つ安定的に保持できる変形自在な棒状で弾性の保持具を設けた開閉可能な挟持具を提供する事を目的とする。
【課題を解決するための手段】
【０００６】  請求項１の発明は、開閉可能な挟持具の逆側に小物を置いたり掛けたりすることができる変形自在な棒状で弾性の保持具を設けたことを特徴とする保持具付き挟持具。【０００７】  請求項２の発明は、請求項１の変形自在な棒状で弾性の保持具は摘み部の外側周囲に設ける。保持具を摘み部の外側周囲に設けることにより摘み部は保持具内を自在に可動し、挟持具を開閉する際に摘む摘み部の可動域を妨げないことを特徴とする保持具付き挟持具。
【発明の効果】
【０００８】  請求項１の発明では、例えば開閉可能な挟持具を下部とし上部に小物を置いたり掛けたりすることができる変形自在な棒状で弾性の保持具を設けた挟持具とする。前記開閉可能な挟持具の構造は、上部摘み部右側と下部挟み部右側、上部摘み部左側と下部挟み部左側とをヒンジにより結合し、上部摘み部右側と上部摘み部左側を内側に摘むことにより、下部挟み部右側と下部挟み部左側が開口する。開口した下部挟み部右側と下部挟み部左側を例えばフライパンの持ち手に取り付けるため、上部摘み部右側と上部摘み部左側を放すとバネのバネ力が働き開閉可能な挟持具がフライパンの持ち手に固定される。フライパンを使用し調理している際、手に持っている菜箸を置いて味付けや他の具材をフライパンに投入することが多々ある。しかし、菜箸の置き場所が決まっておらず適当な場所に菜箸を置くと菜箸を置いた場所が汚れる。不安定な場所に菜箸を置いて菜箸が床に転がり落ちると、落ちた場所が汚れ掃除が必要になる。菜箸置場が決まっていないことにより調理中に余計な仕事が増える。また、調理中の菜箸を適当な場所に置くと菜箸の先端が何かに触れて不潔になる。不潔な菜箸で調理をすることはとても不衛生である。変形自在な棒状で弾性の保持具は菜箸の形に変形することができるため転がり落ちることがなく安定して保持することができる。菜箸を安定して保持することができれば掃除をする必要がなく衛生的である。【０００９】  請求項２の発明では、開閉可能な挟持具を下部とした際上部摘み部の一方外側周囲、若しくは双方外側周囲各々に保持具を取り付ける。保持具を上部摘み部の外側周囲に取り付けることにより上部摘み部右側と上部摘み部左側を内側に摘む際の可動域を妨げることがないため、摘み込み操作には支障は生じない。
【図面の簡単な説明】
【０００９】
【図１】    本発明の斜視図である。
【図２】    本発明の保持具が一方にあり摘み部を左右より押圧した斜視図である。
【図３】    本発明の保持具を一方に取り付けた平面図である。
【図４】    本発明の実地の形態１を示す斜視図である。
【図５】    本発明の実地の形態２を示す斜視図である。
【図６】    本発明の実地の形態２を示す斜視図の一部拡大斜視図である。
【図７】    本発明の保持具を一対とし設けた際の斜視図である。
【図８】    本発明の保持具を双方に取り付けた平面図である。
【図９】    本発明の保持具が双方にあり摘み部を左右より押圧した斜視図である。
【図１０】    本発明の実地の形態３を示す斜視図である。
【発明を実施するための形態】
【００１０】  図１は、本発明保持具付き挟持具の斜視図で、例えば挟持具を下部とした際一方の上部摘み部右側２Ｒの周囲に保持具１を取り付けた斜視図である。
【００１１】  図２は、本発明保持具付き挟持具の斜視図で、例えば挟持具を下部とした際上部摘み部右側２Ｒと上部摘み部左側２ＬにＡ→とＢ←への押圧を加えた際に、開閉可能な挟持具下部右側４Ｒと開閉可能な挟持具下部左側４ＬがＣ←とＤ→に開口する斜視図である。
【００１２】  図３は、本発明保持具付き挟持具の平面図で、例えば挟持具を下部とした際上部摘み部右側２Ｒに保持具１を取り付け、上部摘み部右側２Ｒと上部摘み部左側２Ｌとをヒンジ３にて結合し、ヒンジ３にはバネ５を設けている。
【００１３】    （実施の形態１）
図４は、本発明保持具付き挟持具を設置したい場所、例えばパイプ管６に設置し変形自在な棒状で弾性の材質の保持具１の角度を変形し、小物である鍵７を保持具１に掛けた斜視図である。
【００１４】  保持具１は変形自在な棒状で弾性の材質なため、Ｕ字型やＶ字型や直線等、掛ける小物の形に変形し安定して保持することができる。
【００１５】    （実施の形態２）
図５は、フライパン８の持ち手１０に本発明保持具付き挟持具を設置したい位置に設置し上部摘み部右側２Ｒに取り付けている保持具１に菜箸９を置いた斜視図である。
【００１６】  図６は図５の一部拡大図である。保持具１は変形自在な棒状で弾性の材質なので菜箸９の太さや形状に合わせて変形することができ安定した保持を提供できる。また、保持具１の表面をシリコンゴムなどで覆うと、耐熱効果や滑落防止効果が得られる。
【００１７】  図７は、例えば挟持具を下部とした際保持具１を上部摘み部右側２Ｒの周囲ではなく左側と右側の一対に設けた際の斜視図である。保持具１に左右別々の小物を置く際等、左右個々に角度や向きを容易に合わせることができ便利である。
【００１８】  図８は、本発明保持具付き挟持具の平面図で、例えば挟持具を下部とした際上部摘み部右側２Ｒには保持具１を取り付け、上部摘み部左側２Ｌには保持具１―１を取り付け、上部摘み部右側２Ｒと上部摘み部左側２Ｌとをヒンジ３にて結合し、ヒンジ３にはバネ５を設けた平面図である。
【００１９】  図９は、本発明保持具付き挟持具の斜視図で、例えば挟持具を下部とした際上部摘み部２Ｒの周囲に保持具１を取り付け上部摘み部２Ｌの周囲に保持具１−１を取り付け、上部摘み部右側２Ｒと上部摘み部左側２ＬにＡ→とＢ←への押圧を加えた際に、開閉可能な挟持具下部右側４Ｒと開閉可能な挟持具下部左側４ＬがＣ←とＤ→に開口する斜視図である。
【００２０】    （実施の形態３）
図１０は、本発明保持具付き挟持具を設置したい場所、例えばパイプ管６に設置し変形自在な弾性の材質の保持具１と保持具１−１にてホースやチューブ１１を保持している斜視図である。保持具１と保持具１−１は変形自在な棒状で弾性の材質なためホースやチューブ１１の形に合わせれば、より確実に保持する効果が得られる。
【符号の説明】
【００２１】  １      保持具
１−１  保持具
２Ｒ    挟持具を下部とした際の上部摘み部右側
２Ｌ    挟持具を下部とした際の上部摘み部左側
３      ヒンジ
４Ｒ    挟持具を下部とした際の挟み部右側
４Ｌ    挟持具を下部とした際の挟み部左側
５      バネ
６      パイプ管
７      鍵
８      フライパン
９      菜箸
１０    フライパンの持ち手
１１    一対にした保持具
１２    ホースやチューブ
Ａ→    ２Ｌへの押圧方向
Ｂ←    ２Ｒへの押圧方向
Ｃ←    ４Ｌの開口方向
Ｄ→    ４Ｒの開口方向
【図１】
2020058753.tif 000003
【図２】
2020058753.tif 000004
【図３】
2020058753.tif 000005
【図４】
2020058753.tif 000006
【図５】
2020058753.tif 000007
【図６】
2020058753.tif 000008
【図７】
2020058753.tif 000009
【図８】
2020058753.tif 000010
【図９】
2020058753.tif 000011
【図１０】
2020058753.tif 000012